(57)【要約】【課題】ユーザにとって、より使い勝手が良く、より親近感が得られ易い操作仕様の電子機器を提供する。【解決手段】複数種類の機能（教育コンテンツ）それぞれの実行を指示するためのアイコン（動物イメージ画像Be/Li/Ko/Ra/El/Sh/Ow）を背景画像に合成した待機画面Ｐがタッチパネル表示部１１に表示されると共に、現在の日付時刻が時計部から読み出され、優先データから取得された曜日に対応する優先の機能、履歴データから読み出された前記各機能の実行日時の履歴、コンテンツ進捗データから読み出された前記各機能のユーザ進捗状況に基づき、現在ユーザが嫌悪感を抱かずに自主的に行うであろう推奨機能が決定される。そして推奨機能の前記アイコンとしてのイメージ画像が目立つように拡大されて前記待機画面Ｐに合成表示され、タッチ操作されると該当アイコンに対応する機能が実行される。【選択図】      図８
2016085680.tif 000002
【特許請求の範囲】
【請求項１】
複数の機能に対応するプログラムを記憶しているプログラム記憶手段と、
前記プログラム記憶手段により記憶された複数のプログラムの利用に関する情報を記憶する管理情報記憶手段と、
前記管理情報記憶手段により記憶された情報に基づいて実行を推奨するプログラムを決定する推奨プログラム決定手段と、
前記推奨プログラム決定手段により決定されたプログラムに対応するアイコンを他のプログラムに対応するアイコンより強調した待機画面を生成し表示部に表示させる待機画面生成表示手段と、
前記待機画面生成表示手段により前記表示部に表示された前記待機画面の前記強調したアイコンがユーザ操作に応じて指定された場合に、当該指定のアイコンに対応するプログラムを実行させるプログラム実行制御手段と、
を備えたことを特徴とする電子機器。
【請求項２】
前記プログラム記憶手段により記憶された複数のプログラムに対応するアイコンを第１の表示形態で前記表示部に一覧表示させるアイコン一覧表示手段と、
前記アイコン一覧表示手段により前記第１の表示形態で表示されたアイコンがユーザ操作に応じて選択された場合に、当該選択されたアイコンを第２の表示形態にして表示させるアイコン表示制御手段と、
前記アイコン表示制御手段により前記第２の表示形態で表示されたアイコンがユーザ操作に応じて選択された場合に、当該選択されたアイコンに対応するプログラムを実行させる選択プログラム実行制御手段と、
を備えたことを特徴とする請求項１に記載の電子機器。
【請求項３】
前記表示部はタッチパネル式の表示部であることを特徴とする請求項１または請求項２に記載の電子機器。
【請求項４】
前記複数のプログラムの利用に関する情報は、前記複数の機能について曜日毎に設定された優先的に実行すべき機能の情報、および前記複数の機能に各対応するプログラムの実行日時の履歴情報であって、
前記推奨プログラム決定手段は、現在の日時・曜日を取得する時計手段を有し、当該時計手段により取得された現在の日時・曜日と前記管理情報記憶手段により記憶された前記各情報に基づいて実行を推奨するプログラムを決定する、
ことを特徴とする請求項１ないし請求項３に記載の電子機器。
【請求項５】
記憶部と表示部を備えた電子機器のコンピュータを制御するためのプログラムであって、
前記コンピュータを、
複数の機能に対応するプログラムを前記記憶部に記憶させるプログラム記憶手段、
前記プログラム記憶手段により前記記憶部に記憶された複数のプログラムの利用に関する情報を前記記憶部に記憶させる管理情報記憶手段、
前記管理情報記憶手段により前記記憶部に記憶された情報に基づいて実行を推奨するプログラムを決定する推奨プログラム決定手段、
前記推奨プログラム決定手段により決定されたプログラムに対応するアイコンを他のプログラムに対応するアイコンより強調した待機画面を生成し前記表示部に表示させる待機画面生成表示手段、
前記待機画面生成表示手段により前記表示部に表示された前記待機画面の前記強調したアイコンがユーザ操作に応じて指定された場合に、当該指定のアイコンに対応するプログラムを実行させるプログラム実行制御手段、
として機能させるためのコンピュータ読み込み可能なプログラム。
【発明の詳細な説明】
【技術分野】
【０００１】
本発明は、例えば幼児向けの知育ツールとして好適な電子機器およびその制御プログラムに関する。
【背景技術】
【０００２】
例えば、パーソナルコンピュータやタブレット端末等の電子機器では、多数の機能やコンテンツが備えられる。このため、電源オンした際あるいは機器動作の待機状態では、ある１つの機能を実行している表示状態になるのではなく、前記多数の機能やコンテンツの実行をユーザによって選択的に指定できる待機画面（待受け画面）を表示するのが一般的である。
【０００３】
そして、前記電子機器が業務用のみならず、家庭用、教育用等の各方面において多様なユーザに使用されるようになってきたことから、前記待機画面では、単に機能性を前面に押し出した無機質な感じのする画面構成から、使い心地の良さや親近感をユーザに与えるような画面構成に変化してきている。
【０００４】
従来の電子機器であって、「アプリ画像」を表示する必要がある「アプリ画像優先条件」を満たす場合には「アプリ画像」を優先して表示させ、そうでない場合には、前記「アプリ画像」よりも「壁紙」を優先して表示させることで、ユーザが快適に「壁紙」を楽しめると共に当該「壁紙」によってアプリケーションの利便性が損なわれないようにした表示制御方法が考えられている（例えば、特許文献１参照。）。
【０００５】
また、表示部の画面上に複数種類のキャラクタを順に又は乱数的にシャッフルして表示させることで、ユーザに愛着感を抱かせるようにしたキャラクタ表示制御方法が考えられている（例えば、特許文献２参照。）。
【先行技術文献】
【特許文献】
【０００６】
【特許文献１】特開２００４−３３３５４６号公報
【特許文献２】特開２００１−１１９４５３号公報
【発明の概要】
【発明が解決しようとする課題】
【０００７】
近年、子供向けの教育機器や高齢者向けの支援機器等、普段から前記パーソナルコンピュータやタブレット端末等を使い慣れないユーザ向けの電子機器が多数出現している。このため、ユーザにとって、より使い勝手が良く、より親近感が得られ易い操作仕様の電子機器が求められている。
【０００８】
本発明は、このような課題に鑑みなされたもので、ユーザにとって、より使い勝手が良く、より親近感が得られ易い操作仕様の電子機器およびその制御プログラムを提供することを目的とする。
【課題を解決するための手段】
【０００９】
本発明に係る電子機器は、複数の機能に対応するプログラムを記憶しているプログラム記憶手段と、前記プログラム記憶手段により記憶された複数のプログラムの利用に関する情報を記憶する管理情報記憶手段と、前記管理情報記憶手段により記憶された情報に基づいて実行を推奨するプログラムを決定する推奨プログラム決定手段と、前記推奨プログラム決定手段により決定されたプログラムに対応するアイコンを他のプログラムに対応するアイコンより強調した待機画面を生成し表示部に表示させる待機画面生成表示手段と、前記待機画面生成表示手段により前記表示部に表示された前記待機画面の前記強調したアイコンがユーザ操作に応じて指定された場合に、当該指定のアイコンに対応するプログラムを実行させるプログラム実行制御手段と、を備えたことを特徴としている。
【発明の効果】
【００１０】
本発明によれば、ユーザにとって、より使い勝手が良く、より親近感が得られ易い操作仕様の電子機器およびその制御プログラムを提供できる。
【図面の簡単な説明】
【００１１】
【図１】本発明の電子機器の実施形態に係る子供向けタブレット端末１０の外観構成を示す正面図。
【図２】前記タブレット端末１０の電子回路の構成を示すブロック図。
【図３】前記タブレット端末１０の記憶装置２２に記憶されるイメージ画像データ２２ｃの内容を示す図。
【図４】前記タブレット端末２２ｃの記憶装置２２のコンテンツ管理データ２２ｄとして記憶されるコンテンツ進捗データ２２ｄ１、履歴データ１１ｄ２、優先データ２２ｄ３の内容を示す図。
【図５】前記タブレット端末１０の全体処理を示すフローチャート。
【図６】前記タブレット端末１０の全体処理に伴う推奨コンテンツ決定処理を示すフローチャート。
【図７】前記タブレット端末１０の全体処理に伴う機能選択処理を示すフローチャート。
【図８】前記タブレット端末１０の全体処理に従った待機画面Ｐからの機能（コンテンツ）実行に応じた表示動作を示す図。
【図９】前記タブレット端末１０の機能選択処理に従った機能選択画面ＧＳからの表示動作を示す図。
【発明を実施するための形態】
【００１２】
以下図面により本発明の実施の形態について説明する。
【００１３】
図１は、本発明の電子機器の実施形態に係る子供向けタブレット端末１０の外観構成を示す正面図である。
【００１４】
図２は、前記タブレット端末１０の電子回路の構成を示すブロック図である。
【００１５】
このタブレット端末１０は、以下に説明する子供向け専用の携帯機器として構成される。
【００１６】
このタブレット端末１０は、例えば幼児の手で容易に把持して操作可能な大きさの薄型長方形の本体ケースを有し、当該本体ケースの正面には、その正面の略全域に及ぶ画面サイズのバックライトを備えたタッチパネル付き表示部１１が設けられる。
【００１７】
このタッチパネル付き表示部１１は、ユーザがペンや指等でタッチした位置を検出するタッチ位置検出装置と表示装置が一体となった構造であり、バックライトを備えたカラー液晶表示画面に透明タッチパネルを重ねて構成される。
【００１８】
このタブレット端末１０は、各種の記録媒体に記録されたプログラムを読み込んで、その読み込んだプログラムによって動作が制御されるコンピュータによって構成され、その電子回路には、ＣＰＵ(central processing unit)２１が備えられる。
【００１９】
このＣＰＵ２１は、記憶装置２２内に記憶された端末制御プログラム２２ａを、ＲＡＭ２６を作業用メモリとして実行し、回路各部の動作を制御する。なお、端末制御プログラム２２ａは、ＲＯＭカードなどの外部記録媒体２３から記録媒体読み取り部２４を介して前記記憶装置２２に読み込ませたり、あるいはインターネット上のＷｅｂサーバ（この場合はプログラムサーバ）から通信部２５を介して前記記憶装置２２に読み込ませたりしてもよい。
【００２０】
前記記憶装置２２に記憶された端末制御プログラム２２ａは、キー入力部２７、タッチパネル付き表示部１１からのユーザ操作に応じた入力信号、あるいは通信部２５を介して接続されるインターネット上の各Ｗｅｂサーバ…（図示せず）との通信信号に応じて起動される。
【００２１】
このように、前記ＣＰＵ２１には、前記記憶装置２２、記録媒体読み取り部２４、通信部２５、ＲＡＭ２６、キー入力部２７、タッチパネル付き表示部１１が接続される他に、音声出力部２８、現在の日付時刻を計時する時計部２９が接続される。
【００２２】
前記記憶装置２２に記憶される端末制御プログラム２２ａとしては、当該タブレット端末１０の全体の動作を司るシステムプログラム、通信部２５を介してインターネット上の各Ｗｅｂサーバ…や図示しない外部ＰＣ(Personal Computer)などとデータ通信するための通信プログラム等が記憶される。また、前記端末制御プログラム２２ａとして、各種の機能（教育コンテンツ）の実行を指示するためのアイコン（各対応する動物のイメージ画像）を背景画像に合成した待機画面（待受け画面）Ｐを取得し、推奨する教育コンテンツに対応するイメージ画像を他のイメージ画像より目立つように強調加工して表示させる待機画面生成表示処理、前記各種の機能（教育コンテンツ）から現在推奨すべき教育コンテンツを決定するための推奨コンテンツ決定処理、前記各種の機能（教育コンテンツ）のアイコンを配列した機能選択画面ＧＳ（図９参照）から当該各アイコンに対するユーザ操作に応じてその表示を変化させたりその機能を実行したりするための機能選択処理など、同記憶装置２２内のコンテンツＤＢ（データベース）２２ｂ、イメージ画像データ２２ｃ、コンテンツ管理データ２２ｄに基づく処理全般を制御するための端末制御プログラムが記憶される。
【００２３】
前記各種の機能（教育コンテンツ）の実行を指示するための待機画面（待受け画面）Ｐの背景画像は、例えば森の景色の背景画像であり、前記動物のイメージ画像（クマＢｅ／ライオンＬｉ／コアラＫｏ／ウサギＲａ／ゾウＥｌ／ヒツジＳｈ／フクロウＯｗ）は、当該森に住む動物たちのイメージ画像である。また、前記待機画面（待受け画面）Ｐの背景画像に含まれる切株画像Ｓｔは、前記機能選択画面ＧＳ（図９参照）の表示を指示するためのアイコンとして機能する。
【００２４】
前記コンテンツＤＢ（データベース）２２ｂには、前記各種の機能（教育コンテンツ）にそれぞれ対応した処理のプログラムが記憶される。
【００２５】
なお、前記各種の機能（教育コンテンツ）のうち、「おやすみ」機能は、「絵本」の教育コンテンツとして集録された複数の絵本の中から選択された絵本を読み上げる機能、「みまもり」機能は、学習履歴などの確認や、保護者の声を録音して日本語の絵本を読み聞かせる機能である。
【００２６】
図３は、前記タブレット端末１０の記憶装置２２に記憶されるイメージ画像データ２２ｃの内容を示す図である。
【００２７】
このイメージ画像データ２２ｃには、前記コンテンツＤＢ２２ｂに記憶された各種の機能（教育コンテンツ：国語／英語／算数／図鑑／絵本／おやすみ／みまもり）に対応付けた動物のイメージ画像（クマＢｅ／ライオンＬｉ／コアラＫｏ／ウサギＲａ／ゾウＥｌ／ヒツジＳｈ／フクロウＯｗ）が記憶される。
【００２８】
図４は、前記タブレット端末２２ｃの記憶装置２２のコンテンツ管理データ２２ｄとして記憶されるコンテンツ進捗データ２２ｄ１、履歴データ１１ｄ２、優先データ２２ｄ３の内容を示す図である。
【００２９】
前記コンテンツ進捗データ２２ｄ１（図４（Ａ）参照）には、前記コンテンツＤＢ２２ｂに記憶されている各種の機能（教育コンテンツ：国語／英語／算数／図鑑／絵本／おやすみ／みまもり）それぞれの単元ごとの教育ステージ(st1,st2,…,stn)のうち、ユーザが現在何れのステージまで進捗しているかを示すデータが記憶される。
【００３０】
前記履歴データ１１ｄ２（図４（Ｂ）参照）には、ユーザによって実行された各種の機能（教育コンテンツ：国語／英語／算数／図鑑／絵本／おやすみ／みまもり）の履歴が、直近に実行された機能から所定数の機能分、それぞれその実行開始日時(ts)〜実行終了日時(te)を対応付けて記憶される。
【００３１】
前記優先データ２２ｄ３（図４（Ｃ）参照）には、１週間の各曜日（日〜土）に対応付けて当該曜日に優先して実行すべき機能（教育コンテンツ）の種類が、予めあるいはユーザにより設定されて記憶される。
【００３２】
前記ＲＡＭ２６には、表示データメモリ２６ａなどが確保される。
【００３３】
前記表示データメモリ（表示バッファ）２６ａには、前記タッチパネル付き表示部１１に表示させる表示データがビットマップパターンに展開されて記憶される。
【００３４】
このように構成されたタブレット端末１０は、前記ＣＰＵ２１が前記端末制御プログラム２２ａ（前記待機画面生成表示処理、前記推奨コンテンツ決定処理、前記機能選択処理等を実行するためのプログラムを含む）に記述された命令に従い回路各部の動作を制御し、ソフトウエアとハードウエアとが協働して動作することにより、以下の動作説明で述べる機能を実現する。
【００３５】
次に、前記構成による子供向けタブレット端末１０の動作について説明する。
【００３６】
図５は、前記タブレット端末１０の全体処理を示すフローチャートである。
【００３７】
図６は、前記タブレット端末１０の全体処理に伴う推奨コンテンツ決定処理を示すフローチャートである。
【００３８】
図７は、前記タブレット端末１０の全体処理に伴う機能選択処理を示すフローチャートである。
【００３９】
図８は、前記タブレット端末１０の全体処理に従った待機画面Ｐからの機能（コンテンツ）実行に応じた表示動作を示す図である。
【００４０】
前記タブレット端末１０の本体ケースに設けられた電源キー（キー入力部２７）のユーザ操作に応じて電源が投入されると、前記イメージ画像データ２２ｃ（図３参照）に記憶されている各種の機能（教育コンテンツ）に対応付けられた動物のイメージ画像（クマＢｅ／ライオンＬｉ／コアラＫｏ／ウサギＲａ／ゾウＥｌ／ヒツジＳｈ／フクロウＯｗ）をそれぞれアイコンとして背景画像に合成した待機画面（待受け画面）Ｐが取得される（ステップＳ１）。この待機画面（待受け画面）Ｐの背景画像は前記記憶装置２２に記憶されている。
【００４１】
すると、前記図６における推奨コンテンツ決定処理に移行される（ステップＳ２）。
【００４２】
この推奨コンテンツ決定処理は、前記コンテンツ管理データ２２ｄ（図４参照）に基づいて現在推奨すべき教育コンテンツを決定するものであり、先ず、前記時計部２９から現在の日付、曜日、時刻が読み出される（ステップＳ２１）。
【００４３】
すると、前記コンテンツ管理データ２２ｄとして記憶されている前記優先データ２２ｄ３（図４（Ｃ）参照）から、前記現在の曜日に対応して優先に設定されている教育コンテンツの種類が取得される（ステップＳ２２）。
【００４４】
また、前記履歴データ２２ｄ２（図４（Ｂ）参照）から、前記各教育コンテンツの実行履歴が読み出される（ステップＳ２３）。
【００４５】
また、前記コンテンツ進捗データ２２ｄ１（図４（Ａ）参照）から、前記各教育コンテンツのユーザによる進捗データが読み出される（ステップＳ２４）。
【００４６】
そして、前記現在の日付、曜日、時刻、前記優先設定されている教育コンテンツの種類、前記各教育コンテンツの実行履歴、前記各教育コンテンツの進捗データに基づいて、ユーザが現在の日付、曜日、時刻に嫌悪感を抱くことなく行うことができる推奨の教育コンテンツが決定される（ステップＳ２５）。
【００４７】
例えば、現在の日付、曜日が「月曜日」であったり、現在の時刻が前記履歴データにおける英語の実行開始日時〜終了日時に対応していたりした場合は、今回の推奨の教育コンテンツが「英語」のステージ３(st3)からとして決定される。
【００４８】
すると、前記決定された推奨の教育コンテンツに対応する動物のイメージ画像が拡大処理（ユーザから見て目立つように強調加工）されて前記森の背景画像に合成され待機画面（待受け画面）Ｐとしてタッチパネル付き表示部１１に表示される（ステップＳ３）。
【００４９】
例えば、前記推奨の教育コンテンツが「英語」に決定された場合は、図８（Ａ）に示すように、前記ライオンＬｉのイメージ画像が拡大処理されて前記森の背景画像に合成され待機画面（待受け画面）Ｐとして表示される。
【００５０】
そして、前記待機画面（待受け画面）Ｐにおいて拡大表示されている動物のイメージ画像（ここでは「ライオンＬｉ」）がユーザにタッチされたことが検出されると（ステップＳ４（Ｙｅｓ））、当該タッチされた動物のイメージ画像「ライオンＬｉ」に対応付けられた推奨の教育コンテンツ「英語」の実行が開始され、図８（Ｂ）に示すように、同英語の教育開始画面ＧＥが表示される（ステップＳ５）。
【００５１】
一方、前記待機画面（待受け画面）Ｐにおいて、前記切株画像Ｓｔがユーザにタッチされたことが検出されると（ステップＳ４（Ｎｏ））、機能選択画面ＧＳの呼び出し指示があったと判断され（ステップＳ６（Ｙｅｓ））、図７における機能選択処理に移行される（ステップＳ７）。
【００５２】
図９は、前記タブレット端末１０の機能選択処理に従った機能選択画面ＧＳからの表示動作を示す図である。
【００５３】
この機能選択処理に移行されると、先ず、図９（Ａ）に示すように、前記各種の機能（教育コンテンツ）のアイコン（ホームＩｈ／算数Ｉｍ／図鑑Ｉｉ／国語Ｉｊ／英語Ｉｅ／おやすみＩｓ／絵本Ｉｐ／みまもりＩｗ）を配列した機能選択画面ＧＳが、当該各アイコンとしての動物のイメージ画像の頭の上半分（クマＢｅ´／ライオンＬｉ´／コアラＫｏ´／ウサギＲａ´／ゾウＥｌ´／ヒツジＳｈ´／フクロウＯｗ´）だけを表示させた第１の表示形態で表示される（ステップＳ７１）。
【００５４】
この機能選択画面ＧＳにおいて、前記アイコンのうち何れかがユーザにタッチされたことが検出されると（ステップＳ７２（Ｙｅｓ））、該当のアイコンに対するタッチ操作の検出が１回目であるか２回目であるかが判断される（ステップＳ７３／Ｓ７５）。
【００５５】
ここで、前記機能選択画面ＧＳの各アイコンの何れかを対象に１回目のタッチ操作が検出されたと判断されると（ステップＳ７３（Ｙｅｓ））、当該タッチ操作されたアイコンについては同アイコンに対応した動物のイメージ画像の全体（頭を出した画像）を表示させた第２の表示形態で表示され、他の各アイコンについては前記第２の表示形態のまま表示される（ステップＳ７４）。
【００５６】
例えば、前記図９（Ａ）で示した機能選択画面ＧＳにおいて、ウサギのイメージ画像の頭の上半分Ｒａ´が表示（第１表示形態）されている「ずかん」のアイコンＩｉがタッチ操作されると（ステップＳ７３（Ｙｅｓ））、図９（Ｂ）に示すように、当該タッチされたアイコンＩｉのウサギのイメージ画像Ｒａだけが頭を出して表示（第２表示形態）される（ステップＳ７４）。
【００５７】
すなわち、前記機能選択画面ＧＳにおいて、ユーザ任意のいくつかのアイコンを１回ずつタッチ操作すると、当該タッチされたいくつかのアイコンそれぞれの動物のイメージ画像だけが順次頭を出して表示される（ステップＳ７２〜Ｓ７４）。
【００５８】
これにより、ユーザは前記各アイコンに対応する動物のイメージ画像の頭を出し入れさせて玩具的に楽しく遊ぶことができる。
【００５９】
そして、前記１回目のタッチ操作により動物のイメージ画像が頭を出して表示されたアイコン（図９（Ｂ）では「ずかん」のアイコンＩｉ）に対する２回目のタッチ操作が検出されたと判断されると（ステップＳ７５（Ｙｅｓ））、該当のアイコンＩｉに対応する種類の教育コンテンツ「図鑑」のプログラムが実行される（ステップＳ７６）。
【００６０】
このように、前記機能選択画面ＧＳにおいて、各アイコンに対応する機能を実行させるためには、実行対象となる所望の機能のアイコンを１回タッチ操作して該当する動物のイメージ画像の頭を出させて表示させた後、２回目のタッチ操作が必要な構成とすることで、機能実行の誤操作を防止できると共に当該機能を選択する行為自体を楽しめるという付加価値を持たせることができる。
【００６１】
したがって、前記構成の子供向けタブレット端末１０によれば、電源が投入されると、複数種類の機能（教育コンテンツ）それぞれの実行を指示するためのアイコンとしての動物のイメージ画像を背景画像に合成した待機画面（待受け画面）Ｐがタッチパネル付き表示部１１に表示されると共に、現在の日付、曜日、時刻が時計部２９から読み出され、優先データ２２ｄ３から取得された曜日に対応する優先の機能、履歴データ２２ｄ２から読み出された前記各機能の実行日時の履歴、コンテンツ進捗データ２２ｄ１から読み出された前記各機能のユーザによる進捗状況に基づいて、現在ユーザが嫌悪感を抱かずに自主的に行うであろう推奨の機能が決定される。そして、決定された推奨機能の前記アイコンとしてのイメージ画像が目立つように拡大されて前記待機画面Ｐに合成表示され、当該目立つアイコンがユーザにタッチ操作されると、タッチされたアイコンに対応する機能が実行される。
【００６２】
これにより、例えば子供のみならず幼児や高齢者であっても親しみ易く使い易い、ユーザが自主的に機能を実行させることのできるタブレット端末１０を実現できる。
【００６３】
また、前記構成の子供向けタブレット端末１０によれば、前記待機画面Ｐの切株画像Ｓｔがタッチ操作されると、前記複数の動物のイメージ画像についてそれぞれその頭の上半分だけを見せて（第１表示形態）なるアイコンを一覧にした機能選択画面ＧＳが前記タッチパネル付き表示部１１に表示される。そして、ユーザにより何れかのアイコンがタッチ操作されると、１回目のタッチ操作では、該当するアイコンのイメージ画像だけがその頭を出して表示され（第２表示形態）、２回目のタッチ操作で、該当するアイコンに対応する機能が実行される。
【００６４】
これにより、前記機能選択画面ＧＳでは、前記各アイコンを選択的にタッチ操作して所望の機能を実行させるのに、２段階操作としてその誤操作を防止できるだけでなく、ユーザにとって楽しく遊びながら操作できるタブレット端末１０を実現できる。
【００６５】
なお、前記各実施形態において記載したタブレット端末１０による各処理の手法、すなわち、図５のフローチャートに示す端末全体処理、図６のフローチャートに示す推奨コンテンツ決定処理、図７のフローチャートに示す機能選択処理等の各手法は、何れもコンピュータに実行させることができるプログラムとして、メモリカード（ＲＯＭカード、ＲＡＭカード等）、磁気ディスク（フロッピー（登録商標）ディスク、ハードディスク等）、光ディスク（ＣＤ−ＲＯＭ、ＤＶＤ等）、半導体メモリ等の外部記録装置の媒体（２３）に格納して配布することができる。そして、表示部を備えた電子機器のコンピュータ（２１）は、この外部記憶装置の媒体（２３）に記憶されたプログラムを記憶装置（２２）に読み込み、この読み込んだプログラムによって動作が制御されることにより、前記各実施形態において説明した推奨コンテンツの決定・選択・実行機能を実現し、前述した手法による同様の処理を実行することができる。また、このようなプログラムをタッチパネル式のＰＤＡ(personal digital assistants)、ＰＣ(personal computer)、携帯電話、電子ブック、携帯ゲーム機等に読み込ませて、上記タブレット端末１０と同じ機能を持たせることもできる。
【００６６】
また、前記各手法を実現するためのプログラムのデータは、プログラムコードの形態として通信ネットワーク上を伝送させることができ、この通信ネットワークに接続されたコンピュータ装置（プログラムサーバ）から前記プログラムのデータを表示部を備えた電子機器に取り込んで記憶装置（２２）に記憶させ、前述した推奨コンテンツの決定・選択・実行機能を実現することもできる。
【００６７】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００６８】
以下に、本願出願の当初の特許請求の範囲に記載された発明を付記する。
【００６９】
［１］
複数の機能に対応するプログラムを記憶しているプログラム記憶手段と、
前記プログラム記憶手段により記憶された複数のプログラムの利用に関する情報を記憶する管理情報記憶手段と、
前記管理情報記憶手段により記憶された情報に基づいて実行を推奨するプログラムを決定する推奨プログラム決定手段と、
前記推奨プログラム決定手段により決定されたプログラムに対応するアイコンを他のプログラムに対応するアイコンより強調した待機画面を生成し表示部に表示させる待機画面生成表示手段と、
前記待機画面生成表示手段により前記表示部に表示された前記待機画面の前記強調したアイコンがユーザ操作に応じて指定された場合に、当該指定のアイコンに対応するプログラムを実行させるプログラム実行制御手段と、
を備えたことを特徴とする電子機器。
【００７０】
［２］
前記プログラム記憶手段により記憶された複数のプログラムに対応するアイコンを第１の表示形態で前記表示部に一覧表示させるアイコン一覧表示手段と、
前記アイコン一覧表示手段により前記第１の表示形態で表示されたアイコンがユーザ操作に応じて選択された場合に、当該選択されたアイコンを第２の表示形態にして表示させるアイコン表示制御手段と、
前記アイコン表示制御手段により前記第２の表示形態で表示されたアイコンがユーザ操作に応じて選択された場合に、当該選択されたアイコンに対応するプログラムを実行させる選択プログラム実行制御手段と、
を備えたことを特徴とする［１］に記載の電子機器。
【００７１】
［３］
前記表示部はタッチパネル式の表示部であることを特徴とする［１］または［２］に記載の電子機器。
【００７２】
［４］
前記複数のプログラムの利用に関する情報は、前記複数の機能について曜日毎に設定された優先的に実行すべき機能の情報、および前記複数の機能に各対応するプログラムの実行日時の履歴情報であって、
前記推奨プログラム決定手段は、現在の日時・曜日を取得する時計手段を有し、当該時計手段により取得された現在の日時・曜日と前記管理情報記憶手段により記憶された前記各情報に基づいて実行を推奨するプログラムを決定する、
ことを特徴とする［１］ないし［３］に記載の電子機器。
【００７３】
［５］
記憶部と表示部を備えた電子機器のコンピュータを制御するためのプログラムであって、
前記コンピュータを、
複数の機能に対応するプログラムを前記記憶部に記憶させるプログラム記憶手段、
前記プログラム記憶手段により前記記憶部に記憶された複数のプログラムの利用に関する情報を前記記憶部に記憶させる管理情報記憶手段、
前記管理情報記憶手段により前記記憶部に記憶された情報に基づいて実行を推奨するプログラムを決定する推奨プログラム決定手段、
前記推奨プログラム決定手段により決定されたプログラムに対応するアイコンを他のプログラムに対応するアイコンより強調した待機画面を生成し前記表示部に表示させる待機画面生成表示手段、
前記待機画面生成表示手段により前記表示部に表示された前記待機画面の前記強調したアイコンがユーザ操作に応じて指定された場合に、当該指定のアイコンに対応するプログラムを実行させるプログラム実行制御手段、
として機能させるためのコンピュータ読み込み可能なプログラム。
【符号の説明】
【００７４】
１０  …タブレット端末
１１  …タッチパネル付き表示部
２１  …ＣＰＵ
２２  …記憶装置
２２ａ…端末制御プログラム
２２ｂ…コンテンツデータベース
２２ｃ…イメージ画像データ
２２ｄ…コンテンツ管理データ
２２ｄ１…コンテンツ進捗データ
２２ｄ２…履歴データ
２２ｄ３…優先データ
２３  …外部記録媒体
２４  …記録媒体読み取り部
２５  …通信部
２６  …ＲＡＭ
２６ａ…表示データメモリ
２７  …キー入力部
２８  …音声出力部
２９  …時計部
Ｐ    …待機画面（待受け画面）
ＧＳ  …機能選択画面
ＧＥ  …英語の教育開始画面
【図１】
2016085680.tif 000003
【図２】
2016085680.tif 000004
【図３】
2016085680.tif 000005
【図４】
2016085680.tif 000006
【図５】
2016085680.tif 000007
【図６】
2016085680.tif 000008
【図７】
2016085680.tif 000009
【図８】
2016085680.tif 000010
【図９】
2016085680.tif 000011